(57)【要約】【課題】フィルムから成る半袋体を利用して、新聞販売店の丁合機で使用出来、さらに、使用者によって半袋体の一部を引っ張って開口部を形成するまでは全周が閉じられた状態で、子供の事故を未然に防げる、安全な半袋体による広告チラシを提供する。【解決手段】平面視の形状及び大きさが広告チラシと略同形同大で、フィルムから成る筒状体の上下の開口を閉じて半袋体１を設け、当該半袋体１の外面に広告４を設け、当該半袋体１の上端縁に沿って一端から他端にかけて表裏面に点線状切り込み２を設け、上記点線状切り込み２を引っ張って上端縁を外して当該半袋体１に開口を形成自在とした。【選択図】図１
2014126778.tif 000002
【特許請求の範囲】
【請求項１】
平面視の形状及び大きさが広告チラシと略同形同大で、フィルムから成る筒状体の上下の開口を閉じて半袋体を設け、
当該半袋体の外面の少なくとも一面に広告を設け、
当該半袋体の上端縁に沿って一端から他端にかけて表裏面に点線状切り込みを設け、
当該半袋体の表裏面の上部に通孔を設けて手の指挿通口を設け、
上記点線状切り込みを引っ張って上端縁を外して当該半袋体に開口を形成自在としたことを特徴とする、半袋体による広告チラシ。
【請求項２】
平面視の形状及び大きさが広告チラシと略同形同大で、フィルムから成る筒状体の上下の開口を閉じて半袋体を設け、
当該半袋体の外面の少なくとも一面に広告を設け、
上記半袋体の上下端縁を挟む相対向する各側端縁に沿って内側に折り込んだマチを夫々設け、
当該半袋体の上端縁から表裏面に略Ｕ字形状の点線状切り込みを設け、当該切り込みの両側部は、上記各マチの内端より外側に位置させ、
上記点線状切り込みを引っ張って外して、当該半袋体の上端縁の一部に略Ｕ字形状の開口を形成自在としたことを特徴とする、半袋体による広告チラシ。
【請求項３】
上記略Ｕ字形状の点線状切り込みの下端縁側の両角部から当該半袋体の下端縁に向けて略山形の点線状又は実線の切り込みを夫々表裏面に形成したことを特徴とする、上記請求項２に記載の半袋体による広告チラシ。
【請求項４】
上記略Ｕ字形状の点線状切り込みの下端の両角部の表裏面を穿って通孔としたことを特徴とする、上記請求項２に記載の半袋体による広告チラシ。
【請求項５】
平面視の形状及び大きさが広告チラシと略同形同大で、フィルムから成る筒状体の上下の開口を閉じて半袋体を設け、
当該半袋体の外面の少なくとも一面に広告を設け、
上記半袋体の上下端縁を挟む相対向する各側端縁に沿って内側に折り込んだマチを夫々設け、
上記上端縁を残して、当該上端縁付近から当該半袋体の表裏面に複数の細長い通孔を間をあけて並設し、当該通孔の両側縁の延長線である上記上端縁部分を点線状切り込みとし、上記通孔に挟まれた間に水平な点線状切り込みを設け、
上記並設した通孔のうち半袋体の両側に位置する通孔の各外側縁は、上記各マチの内端より外側に位置させ、
上記水平な点線状切り込みの略上部を引っ張って、上記通孔の上端縁部分と共に外して、当該半袋体の上端縁の一部に開口を形成自在としたことを特徴とする、半袋体による広告チラシ。
【発明の詳細な説明】
【技術分野】
【０００１】
この発明は、広告チラシに関するものであり、例えば、新聞販売店から配達される新聞の中に、挟まれている折込チラシに関するものであり、新聞店の丁合機でも使用出来、最後は袋として使用出来る、半袋体による広告チラシに関するものである。
【背景技術】
【０００２】
新聞の中に挟まれている折込チラシは盛んに利用されているが、この折込チラシは、記載された広告を見た後は、せいぜい裏面をメモにする等ぐらいしか使い道がない。中には、表裏に広告が記載されているものもあるが、この様な折込チラシは見た後はゴミとなる。
【０００３】
この様な中、上記折込チラシの広告を見た後の使い道として、特許文献１に記載された新聞折込袋が有る。これは、ポリエチレン製の袋を用意し、この袋の表面に広告を記載したもので、新聞販売店の丁合機にかけても引っかからず、広告の役目が終わった後は、商品を入れる袋として使用出来ると言うものである。
【特許文献１】実用新案登録第３１５８９２１号
【発明の開示】
【発明が解決しようとする課題】
【０００４】
しかしながら、この特許文献１の新聞折込袋では、モノを入れる開口部が空いた状態で新聞読者に配達されるので、子供が誤って頭から被って窒息死する等の事故を招くおそれがある。もし、万が一にも事故が発生した場合、広告主側の企業イメージは大きく傷つくことになる。また、上記事故及び企業イメージの損失を心配するが故、上記新聞折込袋から成る広告チラシの出稿（販売）が伸び悩んでいる。
【０００５】
この発明は、上記の点に鑑みて為されたもので、フィルムから成る半袋体を利用して、新聞販売店の丁合機で使用出来、さらに、使用者によって半袋体の一部を引っ張って開口部を形成するまでは全周が閉じられた状態で、子供の事故を未然に防げる、安全な半袋体による広告チラシを提供して上記課題を解決するものである。
【課題を解決するための手段】
【０００６】
請求項１の発明は、平面視の形状及び大きさが広告チラシと略同形同大で、フィルムから成る筒状体の上下の開口を閉じて半袋体を設け、当該半袋体の外面の少なくとも一面に広告を設け、当該半袋体の上端縁に沿って一端から他端にかけて表裏面に点線状切り込みを設け、当該半袋体の表裏面の上部に通孔を設けて手の指挿通口を設け、上記点線状切り込みを引っ張って上端縁を外して当該半袋体に開口を形成自在とした半袋体による広告チラシとした。
【０００７】
請求項２の発明は、平面視の形状及び大きさが広告チラシと略同形同大で、フィルムから成る筒状体の上下の開口を閉じて半袋体を設け、当該半袋体の外面の少なくとも一面に広告を設け、上記半袋体の上下端縁を挟む相対向する各側端縁に沿って内側に折り込んだマチを夫々設け、当該半袋体の上端縁から表裏面に略Ｕ字形状の点線状切り込みを設け、当該切り込みの両側部は、上記各マチの内端より外側に位置させ、上記点線状切り込みを引っ張って外して、当該半袋体の上端縁の一部に略Ｕ字形状の開口を形成自在とした半袋体による広告チラシとした。
【０００８】
請求項３の発明は、上記略Ｕ字形状の点線状切り込みの下端縁側の両角部から当該半袋体の下端縁に向けて略山形の点線状又は実線の切り込みを夫々表裏面に形成した上記請求項２に記載の半袋体による広告チラシとした。
【０００９】
請求項４の発明は、上記略Ｕ字形状の点線状切り込みの下端の両角部の表裏面を穿って通孔とした上記請求項２に記載の半袋体による広告チラシとした。
【００１０】
請求項５の発明は、平面視の形状及び大きさが広告チラシと略同形同大で、フィルムから成る筒状体の上下の開口を閉じて半袋体を設け、当該半袋体の外面の少なくとも一面に広告を設け、上記半袋体の上下端縁を挟む相対向する各側端縁に沿って内側に折り込んだマチを夫々設け、上記上端縁を残して、当該上端縁付近から当該半袋体の表裏面に複数の細長い通孔を間をあけて並設し、当該通孔の両側縁の延長線である上記上端縁部分を点線状切り込みとし、上記通孔に挟まれた間に水平な点線状切り込みを設け、上記並設した通孔のうち半袋体の両側に位置する通孔の各外側縁は、上記各マチの内端より外側に位置させ、上記水平な点線状切り込みの略上部を引っ張って、上記通孔の上端縁部分と共に外して、当該半袋体の上端縁の一部に開口を形成自在とした半袋体による広告チラシとした。
【発明の効果】
【００１１】
請求項１、２及び５の各発明によれば、使用者によって、開口を形成するまでは、全周が閉じられているので、丁合機に使用でき、その結果、新聞の折込チラシとして使用出来るので使い勝手が良い。また、チラシの役割が終わると袋にして使用出来るので極めて便利である。さらに、使用者が開口を形成するまでは、全周が閉じられているので、子供が誤って頭に被ると言うことが無く、安全である。
【００１２】
請求項３及び４の各発明によれば、開口を形成する際、極めて容易かつきれいに切り込みを設けた個所を切り取ることが出来、使い易いものである。
【００１３】
また、請求項５の発明によれば、開口を形成する際、極めて容易かつきれいに切り込みを設けた個所を切り取ることが出来、使い易いものである。
【図面の簡単な説明】
【００１４】
【図１】この発明の実施の形態例１のいわゆるビニール袋による折込チラシの正面図である。
【図２】この発明の実施の形態例２のいわゆるレジ袋による折込チラシの正面図である。
【図３】上記実施の形態例２の折込チラシから袋を形成した状態の斜視図である。
【図４】この発明の実施の形態例３のいわゆるレジ袋による折込チラシの正面図である。
【図５】この発明の実施の形態例３の他のいわゆるレジ袋による折込チラシの正面図である。
【図６】この発明の実施の形態例３のさらに他のいわゆるレジ袋による折込チラシの正面図である。
【図７】この発明の実施の形態例４のいわゆるレジ袋による折込チラシの正面図である。
【図８】この発明の実施の形態例４の他のいわゆるレジ袋による折込チラシの正面図である。
【発明を実施するための形態】
【００１５】
（実施の形態例１）
以下、この発明の実施の形態例１の半袋体による広告チラシを図に基づいて説明する。ここでは広告チラシの例として、新聞に挟まれている折込チラシとする。また、上記半袋体とは、完成品である袋になる前の状態、つまり半製品の袋体の意味で使用している。
【００１６】
ここで半袋体として使用するのは、いわゆる楕円ヌキ型の半袋体１であり、ビニール製の筒状体の上下の開口を閉じて形成され、平面視の形状及び大きさが折込チラシと略同形同大の四角形状に設けられている。
【００１７】
図１に示す様に、この様な半袋体１の上端縁に沿って、左端縁から右端縁にかけて点線状切り込み２を設ける。また、この半袋体１の表裏面の上部中央に横長の楕円型の通孔を設けて、手の指挿通口３を形成している。そして、この半袋体１の表面のみに広告４を印刷して折込チラシＡを形成している。
【００１８】
この折込チラシＡを、新聞販売店に有る丁合機にセットして、通常の折込チラシと同様に丁合して重ねる。そして、この折込チラシＡを新聞の間に挟んで購読者に配達する。
【００１９】
上記新聞を配達された購読者は、新聞の中の上記折込チラシＡの広告内容を見る。この折込チラシＡには、商品販売促進のための広告、例えば「この折込チラシを持参の方に、この折込チラシ一杯のキャンディーをプレゼント！」などと記載されている。
【００２０】
この後、この購読者は、この折込チラシＡを持って広告を出したスーパーマーケットへ出向いて、上記点線状切り込み２を入れた個所を外方から引っ張って上端縁を外し、この折込チラシＡに開口を形成して袋として使用する。この袋の中にキャンディーを入れた後は、手の指挿通口３に指を入れてこの袋を持ち、キャンディーを家に持って帰ることが出来る。
【００２１】
この実施の形態例１では、広告としての役目が終わった後、袋として使用する際に開口を形成するようにしたので、チラシの状態では袋状となっておらず、子供が頭から被って起こる窒息死等の事故を未然に防ぐことが出来る.
【００２２】
（実施の形態例２）
次に、実施の形態例２の半袋体による折込チラシＢを図に基づいて説明する。ここでは、上記実施の形態例１と相違する構成について説明する。この実施の形態例２において、半袋体５として使用するのは、いわゆるレジ袋であり、ポリエチレン製の筒状体の上下の開口を閉じて形成され、折り畳んだ状態の平面視の形状及び大きさが折込チラシと略同形同大の四角形状に設けられている。この半袋体５の表面のみに広告を印刷して折込チラシＢを形成している（図示省略）。
【００２３】
また、この半袋体５の上端縁の略中央部から表裏面に、図２に示す様に、Ｕ字形状の点線状切り込み７を設ける。ここでは、下端縁側の両角部７ａは、U字形状なのでゆるやかなアールとなっている。これらのアールは、形状が簡単なので、点線状切り込み７部分を引っ張った際の切り取りが容易であり、また、広告面も比較的大きく取ることが出来る。
【００２４】
また、半袋体５の上下端縁を挟む左右の相対向する各側端縁に沿って内側に折り込んだマチ６を設けており、上記切り込み７の両側部は、上記各マチ６の内端より外側に位置している。
【００２５】
この様にして形成したポリエチレン製の半袋体５から成る折込チラシＢを、新聞販売店に有る丁合機にセットして、通常の折込チラシと同様に丁合して重ねる。
【００２６】
この様な折込チラシＢを新聞の間に挟んで購読者に配達する。当該購読者は、この半袋体５による折込チラシＢの広告を見た後は、上記点線状切り込み７を入れた個所を外方から引っ張って外し、この半袋体５による折込チラシＢの上端縁に開口を形成して、図３に示す様に、この折込チラシを今度はゴミ袋として使用することが出来る。
【００２７】
この時、上記切り込み７の両側部は、上記各マチ６の内端より外側に位置しているので、内部のマチ６の部分も一緒に切り取られ、上記開口を形成した時には、残った半袋体５の両端の上端縁の下方には手の指を入れる開口６ａが設けられている。
【００２８】
この実施の形態例２では、広告としての役目が終わった後、半袋体５の開口を形成するようにしたので、折込チラシの状態では袋となっておらず、子供のいたずらによる事故を未然に防ぐことが出来る。
【００２９】
また、この半袋体５では、通常レジ袋を形成する際、形成される、いわゆるヌキと呼ばれる切欠きを設けず、この半袋体５を四角形状のままとしているので、広告を設ける面積も広く取ることが出来、さらに、上記ヌキ（切欠き）がないので、この半袋体５の一部を丁合機にかけても当該丁合機に引っかかる可能性が格段に低くなっている。
【００３０】
また、この実施の形態例２では、広告としての役目が終わった後に袋として使用するので、切り取られる部分にも広告を設けても良い。
【００３１】
（実施の形態例３）
続いて、この発明の実施の形態例３の半袋体による折込チラシＣを図４及び図５に基づいて説明する。ここで半袋体８として使用するのは、上記実施の形態例２と同様のいわゆるレジ袋であり、ポリエチレン製の筒状体の上下の開口を閉じて形成され、折り畳んだ状態の平面視の形状及び大きさが折込チラシと略同形同大の四角形状に設けられている点は同じである。また、この半袋体８の表面のみに広告４ａを印刷して折込チラシＣを形成している（図４参照）。さらに、マチ８ａを設けているのも同じである（図４、図５及び図６参照）。
【００３２】
この実施の形態例３が上記実施の形態例２と異なるのは点線状切り込みの形状である。ここでは、図４及び図５に示す様に、略Ｕ字形状に形成した点線状切り込み９の下端縁側の両角部からこの半袋体Ｃの下端縁に向けて山形の点線状切り込み９ａ又は実線の切り込み９ｂを夫々設けている。
【００３３】
これにより、上記実施の形態例２の半袋体５よりも、略Ｕ字形状の点線状切り込み９を入れた個所を切り取る際、より簡単かつきれいに切り取ることが出来る。また、半袋体８を形成した後も、横方向の引張りにも比較的強い。
【００３４】
さらに、点線状切り込み９ａ又は実線の切り込み９ｂに代えて、図６に示す様に、上端中央部の略四角形状の点線状切り込み１０の下端角部を三角形状の通孔１０ａにすると、切り込み９を入れた個所をより簡単かつきれいに切り取ることが出来る。
【００３５】
この実施の形態例３では、広告としての役目が終わった後、袋として使用する際に開口を形成するようにしたので、折込チラシの状態では袋となっておらず、子供のいたずらによる事故を未然に防ぐことが出来る。
【００３６】
（実施の形態例４）
続いて、この発明の実施の形態例４の半袋体による折込チラシＤを説明する。ここでも半袋体１１として使用するのは、上記実施の形態例２、３と同様のいわゆるレジ袋であり、ポリエチレン製の筒状体の上下の開口を閉じて形成され、折り畳んだ状態の平面視の形状及び大きさが折込チラシと略同形同大の四角形状に設けられている点は同じである。また、この半袋体１１の表面のみに広告を印刷して折込チラシＤを形成している（図示省略）。さらに、マチ１１ａを設けているのも同じである（図７及び図８参照）。
【００３７】
上記実施の形態例２、３と相違する構成について説明する。この実施の形態例４の半袋体１１では、図７に示す様に、上端縁を残して、当該上端縁付近の二個所からこの半袋体１１の表裏面上に２つのいわゆるヌキと言われる細幅の長方形状の通孔１２を間をあけて並設し、これらの通孔１２の両側縁の延長線である上記上端縁部分は点線状切り込み１３となっている。また、これらの通孔１２に挟まれた間の個所に水平な点線状切り込み１４を設けている。
【００３８】
この半袋体では、通孔１２を２つ設けているので、点線状切り込み１４の上部あたりを引っ張って、上記通孔１２の上端縁部分と共に外して開口を形成する際、開口の形成が容易かつ確実に出来る。また、通孔１２を設けているが、開口を形成する前の半袋体１１としての形状は、四角形状なので、丁合機にかけても引っかかることはなく、円滑にセットされる。
【００３９】
また、上記２つの通孔１２に代えて、図８に示す様に、上記通孔１２より細幅の長方形状の通孔１５を３つ設けても良い。この場合、上記通孔１２を２つ設けたものより、さらに、開口を設け易くなっている。  
【００４０】
なお、上記実施の形態例１では、広告チラシとして、折込チラシＡ、Ｂ、Ｃ及びＤを使用しているが、広告チラシとしては折込チラシに限定するものではなく、一般的なチラシなどでも良く、駅頭に置かれているフリーペーパーに挟まれているチラシの様なものでも良い。また、半袋体１を形成する材質としてはビニール製とし、また、上記実施の形態例２、３及び４では、ポリエチレン製としているが、半袋体１、５、８、１１を形成する材質はこれらに限るものではなく、目的に合った最適な材質を使用すれば良い。
【００４１】
また、上記実施の形態例１では、半袋体１にマチを設けなかったが、もちろんこの半袋体１にもマチを設けても良い。また、この実施の形態例１で設ける横長の手の指挿通孔３の形状を楕円型としているが、横長であれば楕円型に限るものではない。
【００４２】
また、上記実施の形態例４では、通孔１２を２つ、また、通孔１５を３つ半袋体１１に設けたが、通孔の数はこれらに限るものではなく、最適な数を設ければ良い。
【００４３】
さらに、上記実施の形態例１、２、３及び４では、表面にのみ広告４を設けているが、広告は少なくとも一面に設ければよく、もちろん表裏面に設けても良いし、一面の一部に設けるだけでも良い。
【符号の説明】
【００４４】
Ａ    折込チラシ          Ｂ    折込チラシ        Ｃ    折込チラシ
Ｄ    折込チラシ
１    半袋体              ２    切り込み          ３    手の指挿通口
４    広告                ４ａ  広告              ５    半袋体
６    マチ                ６ａ  開口              ７    切り込み
７ａ  両角部              ８    半袋体            ８ａ  マチ
９    切り込み            ９ａ  切り込み          ９ｂ  切り込み
１０ａ  通孔              １１    半袋体          １１ａ  マチ
１２    通孔              １３    切り込み        １４  切り込み
１５    通孔
【図１】
2014126778.tif 000003
【図２】
2014126778.tif 000004
【図３】
2014126778.tif 000005
【図４】
2014126778.tif 000006
【図５】
2014126778.tif 000007
【図６】
2014126778.tif 000008
【図７】
2014126778.tif 000009
【図８】
2014126778.tif 000010